(57)【特許請求の範囲】
【請求項１】
画像データと、前記画像データを特定するための特定情報と、前記画像データに関連付けられた関連情報とを、前記画像データを格納するファイルと前記関連情報を格納するファイルとが別ファイルとなるように記録する記録手段と、
前記画像データと前記特定情報と前記関連情報とを選択的に表示する表示手段と、
少なくとも前記特定情報を文字列で前記表示手段に表示する一覧表示画面と、少なくとも前記画像データに対応する画像を複数の領域に配列して表示する分割表示画面とを切り替える切り替え手段と、
前記表示手段に前記一覧表示画面で表示させる際に、前記特定情報の文字列とは重ならない位置に前記関連情報を表示させる表示制御手段とを備えること
を特徴とする情報処理装置。
【請求項２】
前記表示制御手段は、前記表示手段に前記分割表示画面で表示させる際に、前記画像と重なる位置に前記関連情報を表示させること
を特徴とする請求項１に記載の情報処理装置。
【請求項３】
前記切り替え手段は、前記一覧表画面から前記分割表示画面に切り替える際に、前記一覧表画面で表示されていた前記特定情報の文字列により特定される画像データが含まれるように前記分割表示画面に切り替えること
を特徴とする請求項１または２に記載の情報処理装置。
【請求項４】
前記一覧表画面に表示された前記特定情報の文字列または前記分割表示画面に表示された画像を選択する選択手段をさらに備え、
前記切り替え手段は、前記特定情報の文字列または前記画像が選択された際に、前記選択された画像データに対応する１つの画像を１画面に表示する１画像表示画面に切り替えること
を特徴とする請求項１、２または３に記載の情報処理装置。
【請求項５】
前記特定情報は、前記画像データが前記記録手段に記録された記録日時、または前記画像データに対して一意に付与される番号であること
を特徴とする請求項１乃至４のいずれかに記載の情報処理装置。
【請求項６】
前記関連情報は、前記関連情報が存在することを示すシンボルによって表示されること
を特徴とする請求項１乃至５のいずれかに記載の情報処理装置。
【請求項７】
前記関連情報は、音声データまたはメモ情報であること
を特徴とする請求項１乃至６のいずれかに記載の情報処理装置。
【請求項８】
被写体を撮像する撮像手段をさらに備え、
前記記録手段は、前記撮像手段により撮像された画像データを記録すること
を特徴とする請求項１乃至７のいずれかに記載の情報処理装置。
【請求項９】
画像データと、前記画像データを特定するための特定情報と、前記画像データに関連付けられた関連情報とを、前記画像データを格納するファイルと前記関連情報を格納するファイルとが別ファイルとなるように記録する記録手段と、前記画像データと前記特定情報と前記関連情報とを選択的に表示する表示手段とを備える情報処理装置で使用されるプログラムを記録した記録媒体であって、
少なくとも前記特定情報を文字列で前記表示手段に表示する一覧表示画面と、少なくとも前記画像データに対応する画像を複数の領域に配列して表示する分割表示画面とを切り替え、
前記表示手段に前記一覧表示画面で表示させる際に、前記特定情報の文字列とは重ならない位置に前記関連情報を表示させるように制御するプログラムを記録したこと
を特徴とする記録媒体。
【発明の詳細な説明】
【技術分野】
【０００１】
本発明は、情報処理装置および記録媒体に関する。
【背景技術】
【０００２】
近年、フィルムを使用したカメラに代わって、ＣＣＤ等を用いて被写体の画像を撮影し、それをデジタルのデータに変換して内蔵するメモリや、着脱可能なメモリカード等に記録する電子カメラが用いられるようになってきている。この電子カメラを用いて撮影した画像は、従来のカメラのように現像、焼き付けを経ることなく、即座に再生し、ＬＣＤまたはＣＲＴ等の画面に表示することができる。
【０００３】
また、画像だけでなく、音声や手書きのメモを入力することができるようにしたものや、画面を分割して複数の画像を同時に表示することができるようにしたものもある。また、音声やメモを画像に関連づけて記憶させるようにすることが考えられる。これにより、撮影時の周囲の音声を記録したり、撮影場所や撮影したものに対する簡単なコメントを手書き文字で記録することが可能となる。また、複数の画像を同時に表示させることにより、迅速に所望の画像を選択し、それを画面全体に表示させるようにすることができる。
【発明の開示】
【発明が解決しようとする課題】
【０００４】
しかしながら、複数の画像を１つの画面に分割して表示させる場合、画面を分割するときの分割数や、分割された領域の大きさが予め決められているため、複数の画像を効率的に画面に表示させることができない課題があった。
【０００５】
例えば、画面を９つの領域に分割し、複数の画像を表示可能な場合、４つの画像の表示を指定したときでも、９つの領域のうちの最初の４つの領域に４つの画像が表示され、残りの５つの領域には何も表示されないことになる。このような場合、画面を４つの領域に分割した方がよい。
【０００６】
また、画像以外に、音声やメモなどの情報を記録することができる場合において、画像以外の情報を選択したとき、その情報を分割された画面上でどのように表示するかを予め決めておく必要がある課題があった。
【０００７】
本発明はこのような状況に鑑みてなされたものであり、複数の情報を１つの画面に効率的に表示することができるようにするものである。
【課題を解決するための手段】
【０００８】
請求項１に記載の情報処理装置は、画像データと、前記画像データを特定するための特定情報と、前記画像データに関連付けられた関連情報とを、前記画像データを格納するファイルと前記関連情報を格納するファイルとが別ファイルとなるように記録する記録手段と、前記画像データと前記特定情報と前記関連情報とを選択的に表示する表示手段と、少なくとも前記特定情報を文字列で前記表示手段に表示する一覧表示画面と、少なくとも前記画像データに対応する画像を複数の領域に配列して表示する分割表示画面とを切り替える切り替え手段と、前記表示手段に前記一覧表示画面で表示させる際に、前記特定情報の文字列とは重ならない位置に前記関連情報を表示させる表示制御手段とを備えることを特徴とする。
【０００９】
請求項２に記載の情報処理装置は、請求項１に記載の情報処理装置において、前記表示制御手段は、前記表示手段に前記分割表示画面で表示させる際に、前記画像と重なる位置に前記関連情報を表示させることを特徴とする。
【００１０】
請求項３に記載の情報処理装置は、請求項１または２に記載の情報処理装置において、前記切り替え手段は、前記一覧表画面から前記分割表示画面に切り替える際に、前記一覧表画面で表示されていた前記特定情報の文字列により特定される画像データが含まれるように前記分割表示画面に切り替えることを特徴とする。
【００１１】
請求項４に記載の情報処理装置は、請求項１、２または３に記載の情報処理装置において、前記一覧表画面に表示された前記特定情報の文字列または前記分割表示画面に表示された画像を選択する選択手段をさらに備え、前記切り替え手段は、前記特定情報の文字列または前記画像が選択された際に、前記選択された画像データに対応する１つの画像を１画面に表示する１画像表示画面に切り替えることを特徴とする。
【００１２】
請求項５に記載の情報処理装置は、請求項１乃至４のいずれかに記載の情報処理装置において、前記特定情報は、前記画像データが前記記録手段に記録された記録日時、または前記画像データに対して一意に付与される番号であることを特徴とする。
【００１３】
請求項６に記載の情報処理装置は、請求項１乃至５のいずれかに記載の情報処理装置において、前記関連情報は、前記関連情報が存在することを示すシンボルによって表示されることを特徴とする。
【００１４】
請求項７に記載の情報処理装置は、請求項１乃至６のいずれかに記載の情報処理装置において、前記関連情報は、音声データまたはメモ情報であることを特徴とする。
【００１５】
請求項８に記載の情報処理装置は、請求項１乃至７のいずれかに記載の情報処理装置において、被写体を撮像する撮像手段をさらに備え、前記記録手段は、前記撮像手段により撮像された画像データを記録することを特徴とする。
【００２５】
請求項９に記載の記録媒体は、画像データと、前記画像データを特定するための特定情報と、前記画像データに関連付けられた関連情報とを、前記画像データを格納するファイルと前記関連情報を格納するファイルとが別ファイルとなるように記録する記録手段と、前記画像データと前記特定情報と前記関連情報とを選択的に表示する表示手段とを備える情報処理装置で使用されるプログラムを記録した記録媒体であって、少なくとも前記特定情報を文字列で前記表示手段に表示する一覧表示画面と、少なくとも前記画像データに対応する画像を複数の領域に配列して表示する分割表示画面とを切り替え、前記表示手段に前記一覧表示画面で表示させる際に、前記特定情報の文字列とは重ならない位置に前記関連情報を表示させるように制御するプログラムを記録したことを特徴とする。
【発明の効果】
【００２９】
本発明によれば、複数の情報を１つの画面に効率的に表示することができる。
【発明を実施するための最良の形態】
【００３２】
以下、本発明の実施の形態を図面を参照して説明する。
【００３３】
図１及び図２は、本発明を適用した電子カメラの一実施の形態の構成例を示す斜視図である。本実施の形態の電子カメラにおいては、被写体を撮影する場合において、被写体に向けられる面が面Ｘ１とされ、ユーザ側に向けられる面が面Ｘ２とされている。面Ｘ１の上端部には、被写体の撮影範囲の確認に用いられるファインダ２、被写体の光画像を取り込む撮影レンズ３、及び被写体を照明する光を発光する発光部（ストロボ）４が設けられている。
【００３４】
さらに、面Ｘ１には、ストロボ４を発光させて撮影を行うときに、ストロボ４を発光させる前に発光させて赤目を軽減する赤目軽減ＬＥＤ１５、ＣＣＤ２０（図４）の動作を停止させているときに測光を行う測光素子１６、および、ＣＣＤ２０の動作を停止させているときに測色を行う測色素子１７が設けられている。
【００３５】
一方、面Ｘ１に対向する面Ｘ２の上端部（面Ｘ１のファインダ２、撮影レンズ３、発光部４が形成されている上端部に対応する位置）には、上記ファインダ２、及びこの電子カメラ１に記録されている音声を出力するスピーカ５が設けられている。また、面Ｘ２に形成されているＬＣＤ６及び操作キー７は、ファインダ２、撮影レンズ３、発光部４及びスピーカ５よりも、鉛直下側に形成されている。ＬＣＤ６の表面上には、後述するペン型指示装置の接触操作により、指示された位置に対応する位置データを出力する、いわゆるタッチタブレット６Ａが配置されている。
【００３６】
このタッチタブレット６Ａは、ガラス、樹脂等の透明な材料によって構成されており、ユーザは、タッチタブレット６Ａの内側に形成されているＬＣＤ６に表示される画像を、タッチタブレット６Ａを介して観察することができる。
【００３７】
操作キー７は、ＬＣＤ６に記録データを再生表示する場合などに操作されるキーであり、ユーザによる操作（入力）を検知し、ＣＰＵ（central processing unit）３９（図６）に供給するようになされている。
【００３８】
操作キー７のうちのメニューキー７Ａは、ＬＣＤ６上にメニュー画面を表示する場合に操作されるキーである。実行キー７Ｂは、ユーザによって選択された記録情報を再生する場合に操作されるキーである。
【００３９】
キャンセルキー７Ｃは、記録情報の再生処理を中断する場合に操作されるキーである。デリートキー７Ｄは、記録した情報を削除する場合に操作されるキーである。スクロールキー７Ｅ乃至７Ｈは、ＬＣＤ６に記録情報の一覧が表示されている場合において、画面を上下方向にスクロールさせるときに操作されるキーである。
【００４０】
面Ｘ２には、ＬＣＤ６を使用していないときに保護する、摺動自在なＬＣＤカバー１４が設けられている。ＬＣＤカバー１４は、鉛直上方向に移動させた場合、図３に示すように、ＬＣＤ６及びタッチタブレット６Ａを覆うようになされている。また、ＬＣＤカバー１４を鉛直下方向に移動した場合、ＬＣＤ６及びタッチタブレット６Ａが現れるとともに、ＬＣＤカバー１４の腕部１４Ａによって、面Ｙ２に配置された電源スイッチ１１（後述）がオン状態に切り換えられるようになされている。
【００４１】
この電子カメラ１の上面である面Ｚには、音声を集音するマイクロホン８、及び図示せぬイヤホンが接続されるイヤホンジャック９が設けられている。
【００４２】
左側面（面Ｙ１）には、被写体を撮像するときに操作されるレリーズスイッチ１０と、撮影時の連写モードを切り換えるときに操作される連写モード切り換えスイッチ１３が設けられている。このレリーズスイッチ１０及び連写モード切り換えスイッチ１３は、面Ｘ１の上端部に設けられているファインダ２、撮影レンズ３及び発光部４よりも鉛直下側に配置されている。
【００４３】
一方、面Ｙ１に対向する面Ｙ２（右側面）には、音声を録音するときに操作される録音スイッチ１２と、電源スイッチ１１が設けられている。この録音スイッチ１２及び電源スイッチ１１は、上記レリーズスイッチ１０及び連写モード切り換えスイッチ１３と同様に、面Ｘ１の上端部に設けられているファインダ２、撮影レンズ３及び発光部４よりも鉛直下側に配置されている。また、録音スイッチ１２は、面Ｙ１のレリーズスイッチ１０とほぼ同じ高さに形成されており、左右どちらの手で持っても、違和感のないように構成されている。
【００４４】
なお、録音スイッチ１２とレリーズスイッチ１０の高さを、あえて異ならせることにより、一方のスイッチを押す場合に、この押圧力によるモーメントを打ち消すために反対側の側面を指で保持したとき、誤ってこの反対側の側面に設けられたスイッチが押されてしまわないようにしてもよい。
【００４５】
上記連写モード切り換えスイッチ１３は、ユーザがレリーズスイッチ１０を押して被写体を撮影するとき、被写体を１コマだけ撮影するのか、または、所定の複数コマ撮影するのかを設定する場合に用いられる。例えば、連写モード切り換えスイッチ１３の指針が「Ｓ」と印刷された位置に切り換えられている（すなわち、Ｓモードに切り換えられている）場合において、レリーズスイッチ１０が押されると、１コマだけ撮影が行われるようになされている。
【００４６】
また、連写モード切り換えスイッチ１３の指針が「Ｌ」と印刷された位置に切り換えられている（すなわち、Ｌモードに切り換えられている）場合において、レリーズスイッチ１０が押されると、レリーズスイッチ１０の押されている期間中、１秒間に８コマの撮影が行われるようになされている（すなわち、低速連写モードになる）。
【００４７】
さらに、連写モード切り換えスイッチ１３の指針が「Ｈ」と印刷された位置に切り換えられている（すなわち、Ｈモードに切り換えられている）場合において、レリーズスイッチ１０が押されると、レリーズスイッチ１０の押されている期間中、１秒間に３０コマの撮影が行われるようになされている（すなわち、高速連写モードになる）。
【００４８】
次に、電子カメラ１の内部の構成について説明する。図４は、図１及び図２に示す電子カメラの内部の構成例を示す斜視図である。ＣＣＤ２０は、撮影レンズ３の後段（面Ｘ２側）に設けられており、撮影レンズ３を介して結像する被写体の光画像を電気信号に光電変換するようになされている。
【００４９】
ファインダ内表示素子２６は、ファインダ２の視野内に配置され、ファインダ２を介して被写体を視ているユーザに対して、各種機能の設定状態などを表示するようになされている。
【００５０】
ＬＣＤ６の鉛直下側には、円柱形状の４本のバッテリ（単３の乾電池）２１が縦に並べられており、このバッテリ２１に蓄積されている電力が各部に供給されるようになされている。さらに、ＬＣＤ６の鉛直下側には、バッテリ２１とともに、発光部４に光を発光させるための電荷を蓄積するコンデンサ２２が配置されている。
【００５１】
回路基板２３には、この電子カメラ１の各部を制御する、種々の制御回路が形成されている。また、回路基板２３と、ＬＣＤ６及びバッテリ２１の間には、挿抜可能なメモリカード２４が設けられており、この電子カメラ１に入力される各種の情報が、それぞれ、メモリカード２４の予め設定されている領域に記録されるようになされている。
【００５２】
さらに、電源スイッチ１１に隣接して配置されているＬＣＤスイッチ２５は、その突起部が押圧されている間のみオン状態となるスイッチであり、ＬＣＤカバー１４を鉛直下方向に移動させた場合、図５（ａ）に示すように、ＬＣＤカバー１４の腕部１４Ａによって、電源スイッチ１１とともにオン状態に切り換えられるようになされている。
【００５３】
なお、ＬＣＤカバー１４が鉛直上方向に位置する場合、電源スイッチ１１は、ＬＣＤスイッチ２５とは独立に、ユーザによって操作される。例えば、ＬＣＤカバー１４が閉じられ、電子カメラ１が使用されていない場合、図５（ｂ）に示すように、電源スイッチ１１及びＬＣＤスイッチ２５がオフ状態になっている。この状態において、ユーザが電源スイッチ１１を図５（ｃ）に示すように、オン状態に切り換えると、電源スイッチ１１はオン状態となるが、ＬＣＤスイッチ２５は、オフ状態のままである。一方、図５（ｂ）に示すように、電源スイッチ１１及びＬＣＤスイッチ２５がオフ状態になっているとき、ＬＣＤカバー１４が開かれると、図５（ａ）に示すように、電源スイッチ１１及びＬＣＤスイッチ２５がオン状態となる。そして、この後、ＬＣＤカバー１４を閉じると、ＬＣＤスイッチ２５だけが、図５（ｃ）に示すように、オフ状態となる。
【００５４】
なお、本実施の形態においては、メモリカード２４は挿抜可能とされているが、回路基板２３上にメモリを設け、そのメモリに各種情報を記録可能とするようにしてもよい。また、メモリ（メモリカード２４）に記録されている各種情報を、図示せぬインタフェースを介して外部のパーソナルコンピュータ等に出力することができるようにしてもよい。
【００５５】
次に、本実施の形態の電子カメラ１の内部の電気的構成例を、図６のブロック図を参照して説明する。複数の画素を備えているＣＣＤ２０は、各画素に結像した光画像を画像信号（電気信号）に光電変換するようになされている。デジタルシグナルプロセッサ（以下、ＤＳＰという）３３は、ＣＣＤ２０にＣＣＤ水平駆動パルスを供給するとともに、ＣＣＤ駆動回路３４を制御し、ＣＣＤ２０にＣＣＤ垂直駆動パルスを供給させるようになされている。
【００５６】
画像処理部３１は、ＣＰＵ３９に制御され、ＣＣＤ２０が光電変換した画像信号を所定のタイミングでサンプリングし、そのサンプリングした信号を、所定のレベルに増幅するようになされている。ＣＰＵ３９は、ＲＯＭ（read only memory）４３に記憶されている制御プログラムに従って各部を制御するようになされている。アナログ／デジタル変換回路（以下、Ａ／Ｄ変換回路という）３２は、画像処理部３１でサンプリングした画像信号をデジタル化してＤＳＰ３３に供給するようになされている。
【００５７】
ＤＳＰ３３は、バッファメモリ３６およびメモリカード２４に接続されるデータバスを制御し、Ａ／Ｄ変換回路３２より供給された画像データをバッファメモリ３６に一旦記憶させた後、バッファメモリ３６に記憶した画像データを読み出し、その画像データを、メモリカード２４に記録するようになされている。
【００５８】
また、ＤＳＰ３３は、Ａ／Ｄ変換回路３２より供給された画像データをフレームメモリ３５に記憶させ、ＬＣＤ６に表示させるとともに、メモリカード２４から撮影画像データを読み出し、その撮影画像データを伸張した後、伸張後の画像データをフレームメモリ３５に記憶させ、ＬＣＤ６に表示させるようになされている。
【００５９】
さらに、ＤＳＰ３３は、電子カメラ１の起動時において、ＣＣＤ２０の露光レベルが適正な値になるまで、露光時間（露出値）を調節しながら、ＣＣＤ２０を繰り返し動作させるようになされている。このとき、ＤＳＰ３３が、最初に、測光回路５１を動作させ、測光素子１６により検出された受光レベルに対応して、ＣＣＤ２０の露光時間の初期値を算出するようにしてもよい。このようにすることにより、ＣＣＤ２０の露光時間の調節を短時間で行うことができる。
【００６０】
この他、ＤＳＰ３３は、メモリカード２４への記録、伸張後の画像データのバッファメモリ３６への記憶などにおけるデータ入出力のタイミング管理を行うようになされている。
【００６１】
バッファメモリ３６は、メモリカード２４に対するデータの入出力の速度と、ＣＰＵ３９やＤＳＰ３３などにおける処理速度の違いを緩和するために利用される。
【００６２】
マイクロホン８は、音声情報を入力し（音声を集音し）、その音声情報をＡ／ＤおよびＤ／Ａ変換回路４２に供給するようになされている。
【００６３】
Ａ／ＤおよびＤ／Ａ変換回路４２は、マイクロホン８により検出された音声に対応するアナログ信号をデジタル信号に変換した後、そのデジタル信号をＣＰＵ３９に供給するとともに、ＣＰＵ３９より供給された音声データをアナログ化し、アナログ化した音声信号をスピーカ５に出力するようになされている。
【００６４】
測光素子１６は、被写体およびその周囲の光量を測定し、その測定結果を測光回路５１に出力するようになされている。測光回路５１は、測光素子１６より供給された測光結果であるアナログ信号に対して所定の処理を施した後、デジタル信号に変換し、そのデジタル信号をＣＰＵ３９に出力するようになされている。
【００６５】
測色素子１７は、被写体およびその周囲の色温度を測定し、その測定結果を測色回路５２に出力するようになされている。測色回路５２は、測色素子１７より供給された測色結果であるアナログ信号に対して所定の処理を施した後、デジタル信号に変換し、そのデジタル信号をＣＰＵ３９に出力するようになされている。
【００６６】
タイマ４５は、時計回路を内蔵し、現在の時刻に対応するデータをＣＰＵ３９に出力するようになされている。
【００６７】
絞り駆動回路５３は、絞り５４の開口径を所定の値に設定するようになされている。絞り５４は、撮影レンズ３とＣＣＤ２０の間に配置され、撮影レンズ３からＣＣＤ２０に入射する光の開口を変更するようになされている。
【００６８】
ＣＰＵ３９は、ＬＣＤスイッチ２５からの信号に応じて、ＬＣＤカバー１４が開いているときにおいては、測光回路５１および測色回路５２の動作を停止させ、ＬＣＤカバー１４が閉じているときにおいては、測光回路５１および測色回路５２を動作させるとともに、レリーズスイッチ１０が半押し状態になるまで、ＣＣＤ２０の動作（例えば電子シャッタ動作）を停止させるようになされている。
【００６９】
ＣＰＵ３９は、ＣＣＤ２０の動作を停止させているとき、測光回路５１および測色回路５２を制御し、測光素子１６の測光結果を受け取るとともに、測色素子１７の測色結果を受け取るようになされている。
【００７０】
そして、ＣＰＵ３９は、所定のテーブルを参照して、測色回路５２より供給された色温度に対応するホワイトバランス調整値を算出し、そのホワイトバランス調整値を画像処理部３１に供給するようになされている。
【００７１】
即ち、ＬＣＤカバー１４が閉じているときにおいては、ＬＣＤ６が電子ビューファインダとして使用されないので、ＣＣＤ２０の動作を停止させるようにする。ＣＣＤ２０は多くの電力を消費するので、このようにＣＣＤ２０の動作を停止させることにより、バッテリ２１の電力を節約することができる。
【００７２】
また、ＣＰＵ３９は、ＬＣＤカバー１４が閉じているとき、レリーズスイッチ１０が操作されるまで（レリーズスイッチ１０が半押し状態になるまで）、画像処理部３１が各種処理を行わないように、画像処理部３１を制御するようになされている。
【００７３】
さらに、ＣＰＵ３９は、ＬＣＤカバー１４が閉じているとき、レリーズスイッチ１０が操作されるまで（レリーズスイッチ１０が半押し状態になるまで）、絞り駆動回路５３が絞り５４の開口径を変更などの動作を行わないように、絞り駆動回路５３を制御するようになされている。
【００７４】
また、ＣＰＵ３９は、ストロボ駆動回路３７を制御して、ストロボ４を適宜発光させるようになされている他、赤目軽減ＬＥＤ駆動回路３８を制御して、ストロボ４を発光させる前に、赤目軽減ＬＥＤ１５を適宜発光させるようになされている。
【００７５】
なお、ＣＰＵ３９は、ＬＣＤカバー１４が開いているとき（即ち、電子ビューファインダが利用されているとき）においては、ストロボ４を発光させないようにすることができる。このようにすることにより、電子ビューファインダに表示されている画像の状態で、被写体を撮影することができる。
【００７６】
ＣＰＵ３９は、タイマ４５より供給される日時データに従って、撮影した日時の情報を画像データのヘッダ情報として、メモリカード２４の撮影画像記録領域に記録するようになされている。（すなわち、メモリカード２４の撮影画像記録領域に記録される撮影画像データには、撮影日時のデータが付随している）。
【００７７】
また、ＣＰＵ３９は、デジタル化された音声情報を圧縮した後、デジタル化及び圧縮化された音声データを一旦、バッファメモリ３６に記憶させた後、メモリカード２４の所定の領域（音声記録領域）に記録するようになされている。また、このとき、メモリカード２４の音声記録領域には、録音日時のデータが音声データのヘッダ情報として記録されるようになされている。
【００７８】
ＣＰＵ３９は、レンズ駆動回路３０を制御し、撮影レンズ３を移動させることにより、オートフォーカス動作を行う他、絞り駆動回路５３を制御して、撮影レンズ３とＣＣＤ２０の間に配置されている絞り５４の開口径を変更させるようになされている。
【００７９】
さらに、ＣＰＵ３９は、ファインダ内表示回路４０を制御して、各種動作における設定などをファインダ内表示素子２６に表示させるようになされている。
【００８０】
ＣＰＵ３９は、インタフェース（Ｉ／Ｆ）４８を介して、所定の外部装置（図示せず）と所定のデータの授受を行うようになされている。
【００８１】
また、ＣＰＵ３９は、操作キー７からの信号を受け取り、適宜処理するようになされている。
【００８２】
ユーザの操作するペン（ペン型指示部材）４１によってタッチタブレット６Ａの所定の位置が押圧されると、ＣＰＵ３９は、タッチタブレット６Ａの押圧された位置のＸ−Ｙ座標を読み取り、その座標データ（後述するメモ情報）を、バッファメモリ３６に蓄積させるようになされている。また、ＣＰＵ３９は、バッファメモリ３６に蓄積したメモ情報を、メモ情報入力日時のヘッダ情報とともに、メモリカード２４のメモ情報記録領域に記録するようになされている。
【００８３】
次に、本実施の形態の電子カメラ１の各種動作について説明する。最初に、本装置のＬＣＤ６における電子ビューファインダ動作について説明する。
【００８４】
ユーザがレリーズスイッチ１０を半押し状態にすると、ＤＳＰ３３は、ＣＰＵ３９より供給される、ＬＣＤスイッチ２５の状態に対応する信号の値から、ＬＣＤカバー１４が開いているか否かを判断し、ＬＣＤカバー１４が閉じていると判断した場合、電子ビューファインダ動作を行わない。この場合、ＤＳＰ３３は、レリーズスイッチ１０が操作されるまで、処理を停止する。
【００８５】
なお、ＬＣＤカバー１４が閉じている場合、電子ビューファインダ動作を行わないので、ＣＰＵ３９は、ＣＣＤ２０、画像処理部３１、および、絞り駆動回路５３の動作を停止させる。そして、ＣＰＵ３９は、ＣＣＤ２０を停止させる代わりに、測光回路５１および測色回路５２を動作させ、それらの測定結果を、画像処理部３１に供給する。画像処理部３１は、それらの測定結果の値を、ホワイトバランス制御や輝度値の制御を行うときに利用する。
【００８６】
また、レリーズスイッチ１０が操作された場合、ＣＰＵ３９は、ＣＣＤ２０および絞り駆動回路５３の動作を行わせる。
【００８７】
一方、ＬＣＤカバー１４が開いている場合、ＣＣＤ２０は、所定の時間毎に、所定の露光時間で、電子シャッタ動作を行い、撮影レンズ３によって集光された被写体の光画像を光電変換し、その動作で得られた画像信号を画像処理部３１に出力する。
【００８８】
画像処理部３１は、ホワイトバランス制御および輝度値の制御を行い、その画像信号に対して所定の処理を施した後、画像信号をＡ／Ｄ変換回路３２に出力する。なお、ＣＣＤ２０が動作しているときは、画像処理部３１は、ＣＰＵ３９により、ＣＣＤ２０の出力を利用して算出された、ホワイトバランス制御および輝度値の制御に利用される調整値を利用する。
【００８９】
そして、Ａ／Ｄ変換回路３２は、その画像信号（アナログ信号）を、デジタル信号である画像データに変換し、その画像データをＤＳＰ３３に出力する。
【００９０】
ＤＳＰ３３は、その画像データをフレームメモリ３５に出力し、ＬＣＤ６にその画像データに対応する画像を表示させる。
【００９１】
このように、電子カメラ１においては、ＬＣＤカバー１４が開いている場合、所定の時間間隔で、ＣＣＤ２０が電子シャッタ動作し、その度に、ＣＣＤ２０から出力された信号を画像データに変換し、その画像データをフレームメモリ３５に出力して、ＬＣＤ６に被写体の画像を絶えず表示させることで、電子ビューファインダ動作を行う。
【００９２】
また、上述のように、ＬＣＤカバー１４が閉じている場合においては、電子ビューファインダ動作を行わず、ＣＣＤ２０、画像処理部３１、および、絞り駆動回路５３の動作を停止させ、消費電力を節約している。
【００９３】
次に、本装置による被写体の撮影について説明する。
【００９４】
第１に、面Ｙ１に設けられている連写モード切り換えスイッチ１３が、Ｓモード（１コマだけ撮影を行うモード）に切り換えられている場合について説明する。最初に、図１に示す電源スイッチ１１を「ＯＮ」と印刷されている側に切り換えて電子カメラ１に電源を投入する。ファインダ２で被写体を確認し、面Ｙ１に設けられているレリーズスイッチ１０を押すと、被写体の撮影処理が開始される。
【００９５】
なお、ＬＣＤカバー１４が閉じられている場合、ＣＰＵ３９は、レリーズスイッチ１０が半押し状態になったとき、ＣＣＤ２０、画像処理部３１、および、絞り駆動回路５３の動作を再開させて、レリーズスイッチ１０が全押し状態になったとき、被写体の撮影処理を開始させる。
【００９６】
ファインダ２で観察される被写体の光画像が撮影レンズ３によって集光され、複数の画素を備えるＣＣＤ２０に結像する。ＣＣＤ２０に結像した被写体の光画像は、各画素で画像信号に光電変換され、画像処理部３１によってサンプリングされる。画像処理部３１によってサンプリングされた画像信号は、Ａ／Ｄ変換回路３２に供給され、そこでデジタル化されてＤＳＰ３３に出力される。
【００９７】
ＤＳＰ３３は、その画像データをバッファメモリ３６に一旦出力した後、バッファメモリ３６より、その画像データを読み出し、離散的コサイン変換、量子化及びハフマン符号化を組み合わせたＪＰＥＧ（Joint Photographic Experts Group）方式に従って圧縮し、メモリカード２４の撮影画像記録領域に記録させる。このとき、メモリカード２４の撮影画像記録領域には、撮影日時のデータが、撮影画像データのヘッダ情報として記録される。
【００９８】
なお、連写モード切り換えスイッチ１３がＳモードに切り換えられている場合においては、１コマの撮影だけが行われ、レリーズスイッチ１０が継続して押されても、それ以降の撮影は行われない。また、レリーズスイッチ１０が継続して押されると、ＬＣＤカバー１４が開いている場合、ＬＣＤ６に、撮影した画像が表示される。
【００９９】
第２に、連写モード切り換えスイッチ１３がＬモード（１秒間に８コマの連写を行うモード）に切り換えられている場合について説明する。電源スイッチ１１を「ＯＮ」と印刷されている側に切り換えて電子カメラ１に電源を投入し、面Ｙ１に設けられているレリーズスイッチ１０を押すと、被写体の撮影処理が開始される。
【０１００】
なお、ＬＣＤカバー１４が閉じられている場合、ＣＰＵ３９は、レリーズスイッチ１０が半押し状態になったとき、ＣＣＤ２０、画像処理部３１、および、絞り駆動回路５３の動作を再開させて、レリーズスイッチ１０が全押し状態になったとき、被写体の撮影処理を開始させる。
【０１０１】
ファインダ２で観察される被写体の光画像は、撮影レンズ３によって集光され、複数の画素を備えるＣＣＤ２０に結像する。ＣＣＤ２０に結像した被写体の光画像は、各画素で画像信号に光電変換され、画像処理部３１によって１秒間に８回の割合でサンプリングされる。また、このとき、画像処理部３１は、ＣＣＤ２０の全画素の画像電気信号のうち４分の３の画素を間引く。
【０１０２】
すなわち、画像処理部３１は、マトリクス状に配列されているＣＣＤ２０の画素を、図７に示すように、２×２画素（４つの画素）を１つとする領域に分割し、その１つの領域から、所定の位置に配置されている１画素の画像信号をサンプリングし、残りの３画素を間引く。
【０１０３】
例えば、第１回目のサンプリング時（１コマ目）においては、各領域の左上の画素ａがサンプリングされ、その他の画素ｂ，ｃ，ｄが間引かれる。第２回目のサンプリング時（２コマ目）においては、各領域の右上の画素ｂがサンプリングされ、その他の画素ａ，ｃ，ｄが間引かれる。以下、第３回目、第４回目のサンプリング時においては、左下の画素ｃ、右下の画素ｄが、それぞれ、サンプリングされ、その他の画素が間引かれる。つまり、４コマ毎に各画素がサンプリングされる。
【０１０４】
画像処理部３１によってサンプリングされた画像信号（ＣＣＤ２０の全画素中の４分の１の画素の画像信号）は、Ａ／Ｄ変換回路３２に供給され、そこでデジタル化されてＤＳＰ３３に出力される。
【０１０５】
ＤＳＰ３３は、デジタル化された画像信号をバッファメモリ３６に一旦出力した後、その画像信号を読み出し、ＪＰＥＧ方式に従って圧縮した後、デジタル化及び圧縮処理された撮影画像データを、メモリカード２４の撮影画像記録領域に記録する。このとき、メモリカード２４の撮影画像記録領域には、撮影日時のデータが、撮影画像データのヘッダ情報として記録される。
【０１０６】
第３に、連写モード切り換えスイッチ１３がＨモード（１秒間に３０コマの連写を行うモード）に切り換えられている場合について説明する。電源スイッチ１１を「ＯＮ」と印刷されている側に切り換えて電子カメラ１に電源を投入し、面Ｙ１に設けられているレリーズスイッチ１０を押すと、被写体の撮影処理が開始される。
【０１０７】
なお、ＬＣＤカバー１４が閉じられている場合、ＣＰＵ３９は、レリーズスイッチ１０が半押し状態になったとき、ＣＣＤ２０、画像処理部３１、および、絞り駆動回路５３の動作を再開させて、レリーズスイッチ１０が全押し状態になったとき、被写体の撮影処理を開始させる。
【０１０８】
ファインダ２で観察される被写体の光画像が撮影レンズ３によって集光され、ＣＣＤ２０に結像する。複数の画素を備えるＣＣＤ２０に結像した被写体の光画像は、各画素で画像信号に光電変換され、画像処理部３１によって１秒間に３０回の割合でサンプリングされる。また、このとき、画像処理部３１は、ＣＣＤ２０の全画素の画像電気信号のうち９分の８の画素を間引く。
【０１０９】
すなわち、画像処理部３１は、マトリクス状に配列されているＣＣＤ２０の画素を、図８に示すように、３×３画素を１つとする領域に分割し、その１つの領域から、所定の位置に配置されている１画素の画像電気信号を、１秒間に３０回の割合でサンプリングし、残りの８画素を間引く。
【０１１０】
例えば、第１回目のサンプリング時（１コマ目）においては、各領域の左上の画素ａがサンプリングされ、その他の画素ｂ乃至ｉが間引かれる。第２回目のサンプリング時（２コマ目）においては、画素ａの右側に配置されている画素ｂがサンプリングされ、その他の画素ａ，ｃ乃至ｉが間引かれる。以下、第３回目以降のサンプリング時においては、画素ｃ、画素ｄ・・・が、それぞれ、サンプリングされ、その他の画素が間引かれる。つまり、９コマ毎に各画素がサンプリングされる。
【０１１１】
画像処理部３１によってサンプリングされた画像信号（ＣＣＤ２０の全画素中の９分の１の画素の画像信号）は、Ａ／Ｄ変換回路３２に供給され、そこでデジタル化されてＤＳＰ３３に出力される。
【０１１２】
ＤＳＰ３３は、デジタル化された画像信号をバッファメモリ３６に一旦出力した後、その画像信号を読み出し、ＪＰＥＧ方式に従って圧縮した後、デジタル化及び圧縮処理された撮影画像データを、撮影日時のヘッダ情報を付随して、メモリカード２４の撮影画像記録領域に記録する。
【０１１３】
なお、必要に応じて、ストロボ４を動作させ、被写体に光を照射させることもできる。ただし、ＬＣＤカバー１４が開いているとき、即ち、ＬＣＤ６が電子ビューファインダ動作を行っているとき、ＣＰＵ３９は、ストロボ４を、発光させないように制御することができる。
【０１１４】
次に、タッチタブレット６Ａから２次元の情報（ペン入力情報）を入力する場合の動作について説明する。
【０１１５】
タッチタブレット６Ａがペン４１のペン先で押圧されると、接触した箇所のＸ−Ｙ座標が、ＣＰＵ３９に入力される。このＸ−Ｙ座標は、バッファメモリ３６に記憶される。また、フレームメモリ３５における上記Ｘ−Ｙ座標の各点に対応した箇所にデータを書き込み、ＬＣＤ６における上記Ｘ−Ｙ座標に、ペン４１の接触に対応したメモを表示させることができる。
【０１１６】
上述したように、タッチタブレット６Ａは、透明部材によって構成されているので、ユーザは、ＬＣＤ６上に表示される点（ペン４１のペン先で押圧された位置の点）を観察することができ、あたかもＬＣＤ６上に直接ペン入力をしたかのように感じることができる。また、ペン４１をタッチタブレット６Ａ上で移動させると、ＬＣＤ６上には、ペン４１の移動に伴う線が表示される。さらに、ペン４１をタッチタブレット６Ａ上で断続的に移動させると、ＬＣＤ６上には、ペン４１の移動に伴う破線が表示される。以上のようにして、ユーザは、タッチタブレット６Ａ（ＬＣＤ６）に所望の文字、図形等のメモ情報を入力する。
【０１１７】
また、ＬＣＤ６上に撮影画像が表示されている場合において、ペン４１によってメモ情報が入力されると、このメモ情報が、撮影画像情報とともに、フレームメモリ３５で合成され、ＬＣＤ６上に同時に表示される。
【０１１８】
なお、ユーザは、所定のパレット１００を操作することにより、ＬＣＤ６上に表示されるメモの色を、黒、白、赤、青等の色から選択することができる。
【０１１９】
ペン４１によるタッチタブレット６Ａへのメモ情報の入力後、操作キー７の実行キー７Ｂが押されると、バッファメモリ３６に蓄積されているメモ情報が、入力日時のヘッダ情報とともにメモリカード２４に供給され、メモリカード２４のメモ情報記録領域に記録される。
【０１２０】
なお、メモリカード２４に記録されるメモ情報は、圧縮処理の施された情報である。タッチタブレット６Ａに入力されたメモ情報は空間周波数成分の高い情報を多く含んでいるので、上記撮影画像の圧縮に用いられるＪＰＥＧ方式によって圧縮処理を行うと、圧縮効率が悪く情報量が小さくならず、圧縮及び伸張に必要とされる時間が長くなってしまう。さらに、ＪＰＥＧ方式による圧縮は、非可逆圧縮であるので、情報量の少ないメモ情報の圧縮には適していない（伸張してＬＣＤ６上に表示した場合、情報の欠落に伴うギャザ、にじみが際だってしまうため）。
【０１２１】
そこで、本実施の形態においては、ファックス等において用いられるランレングス法によって、メモ情報を圧縮するようにしている。ランレングス法とは、メモ画面を水平方向に走査し、黒、白、赤、青等の各色の情報（点）の継続する長さ、及び無情報（ペン入力のない部分）の継続する長さを符号化することにより、メモ情報を圧縮する方法である。
【０１２２】
このランレングス法を用いることにより、メモ情報を最小に圧縮することができ、また、圧縮されたメモ情報を伸張した場合においても、情報の欠落を抑制することが可能になる。なお、メモ情報は、その情報量が比較的少ない場合には、圧縮しないようにすることもできる。
【０１２３】
また、上述したように、ＬＣＤ６上に撮影画像が表示されている場合において、ペン入力を行うと、撮影画像データとペン入力のメモ情報がフレームメモリ３５で合成され、撮影画像とメモの合成画像がＬＣＤ６上に表示される。その一方で、メモリカード２４においては、撮影画像データは、撮影画像記録領域に記録され、メモ情報は、メモ情報記録領域に記録される。このように、２つの情報が、各々異なる領域に記録されるので、ユーザは、撮影画像とメモの合成画像から、いずれか一方の画像（例えばメモ）を削除することができ、さらに、各々の画像情報を個別の圧縮方法で圧縮することもできる。
【０１２４】
メモリカード２４の音声記録領域、撮影画像記録領域、またはメモ情報記録領域にデータを記録した場合、図９に示すように、ＬＣＤ６にその一覧表を表示させることができる。
【０１２５】
図９に示すＬＣＤ６の表示画面上においては、情報を記録した時点の年月日（記録年月日）（この場合、１９９６年１１月１日）が画面の上端部に表示され、その記録年月日に記録された情報の番号と記録時刻が画面の左側に表示されている。
【０１２６】
記録時刻の右側には、サムネイル画像が表示されている。このサムネイル画像は、メモリカード２４に記録された撮影画像データの各画像データのビットマップデータを間引いて（縮小して）作成されたものである。この表示のある情報は、撮影画像情報を含む情報である。つまり、「１０時１６分」、および「１０時２１分」に記録（入力）された情報には、撮影画像情報が含まれており、それ以外の時間に記録された情報には画像情報が含まれていない。
【０１２７】
また、メモアイコン「□」は、線画情報として所定のメモが記録されていることを表している。
【０１２８】
サムネイル画像の表示領域の右側には、音声アイコン（音符）が表示され、その右隣りには録音時間（単位は秒）が表示されている（音声情報が入力されていない場合には、これらは表示されない）。
【０１２９】
ユーザは、図９に示すように、ＬＣＤ６に表示された一覧表の中の所望の音声アイコンを、ペン４１のペン先で押圧して再生する情報を選択指定し、図２に示す実行キー７Ｂをペン４１のペン先で押圧することにより、選択した情報を再生する。
【０１３０】
例えば、図９に示す「１０時１６分」の表示されている音声アイコンがペン４１によって押圧されると、ＣＰＵ３９は、選択された録音日時（１０時１６分）に対応する音声データをメモリカード２４から読み出し、その音声データを伸張した後、Ａ／ＤおよびＤ／Ａ変換回路４２に供給する。Ａ／ＤおよびＤ／Ａ変換回路４２は、供給された音声データをアナログ化した後、スピーカ５を介して再生する。
【０１３１】
メモリカード２４に記録した撮影画像データを再生する場合、ユーザは、所望のサムネイル画像を、ペン４１のペン先で押圧することによりその情報を選択し、実行キー７Ｂを押して選択した情報を再生させる。
【０１３２】
即ち、ＣＰＵ３９は、選択されたサムネイル画像の撮影日時に対応する撮影画像データをメモリカード２４から読み出すように、ＤＳＰ３３に指示する。ＤＳＰ３３は、メモリカード２４より読み出した上記撮影画像データ（圧縮されている撮影画像データ）を伸張し、この撮影画像データをビットマップデータとしてフレームメモリ３５に蓄積させ、ＬＣＤ６に表示させる。
【０１３３】
Ｓモードで撮影された画像は、ＬＣＤ６上に、静止画像として表示される。この静止画像は、ＣＣＤ２０の全ての画素の画像信号を再生したものであることはいうまでもない。
【０１３４】
Ｌモードで撮影された画像は、ＬＣＤ６上において、１秒間に８コマの割合で連続して表示される。このとき、各コマに表示される画素数は、ＣＣＤ２０の全画素数の４分の１である。
【０１３５】
通常、人間の目は、静止画像の解像度の劣化に対しては敏感に反応するため、静止画像の画素を間引くことは、ユーザに画質の劣化として捉えられてしまう。しかしながら、撮影時の連写速度が上がり、Ｌモードにおいて１秒間に８コマ撮影され、この画像が１秒間に８コマの速さで再生された場合においては、各コマの画素数がＣＣＤ２０の画素数の４分の１になるが、人間の目は１秒間に８コマの画像を観察するので、１秒間に人間の目に入る情報量は、静止画像の場合に比べて２倍になる。
【０１３６】
すなわち、Ｓモードで撮影された画像の１コマの画素数を１とすると、Ｌモードで撮影された画像の１コマの画素数は１／４となる。Ｓモードで撮影された画像（静止画像）がＬＣＤ６に表示された場合、１秒間に人間の目に入る情報量は１（＝（画素数１）×（コマ数１））となる。一方、Ｌモードで撮影された画像がＬＣＤ６に表示された場合、１秒間に人間の目に入る情報量は２（＝（画素数１／４）×（コマ数８））となる（すなわち、人間の目には、静止画像の２倍の情報が入る）。従って、１コマ中の画素の数を４分の１にしても、再生時において、ユーザは、画質の劣化をさほど気にすることなく再生画像を観察することができる。
【０１３７】
さらに、本実施の形態においては、各コマ毎に異なる画素をサンプリングし、そのサンプリングした画素をＬＣＤ６に表示するようにしているので、人間の目に残像効果が起こり、１コマ当たり４分の３画素を間引いたとしても、ユーザは、画質の劣化をさほど気にすることなくＬＣＤ６に表示されるＬモードで撮影された画像を観察することができる。
【０１３８】
また、Ｈモードで撮影された画像は、ＬＣＤ６上において、１秒間に３０コマの割合で連続して表示される。このとき、各コマに表示される画素数は、ＣＣＤ２０の全画素数の９分の１であるが、Ｌモードの場合と同様の理由で、ユーザは、画質の劣化をさほど気にすることなくＬＣＤ６に表示されるＨモードで撮影された画像を観察することができる。
【０１３９】
本実施の形態においては、Ｌモード及びＨモードで被写体を撮像する場合、画像処理部３１が、再生時における画質の劣化が気にならない程度にＣＣＤ２０の画素を間引くようにしているので、ＤＳＰ３３の負荷を低減することができ、ＤＳＰ３３を、低速度、低電力で作動させることができる。また、このことにより、装置の低コスト化及び低消費電力化が可能になる。
【０１４０】
ところで、本実施の形態においては、既述のように、被写体の光画像を撮影するだけでなく、メモ（線画）情報を記録することも可能である。本実施の形態においては、これらの情報を入力するモード（撮影モードおよびメモ入力モード）を具備しており、ユーザの操作に応じてこれらのモードが適宜選択され、情報の入力がスムーズに実行されるようになされている。
【０１４１】
図１０は、メモリカード２４に記録されている各種情報の一覧表をＬＣＤ６に表示した場合の他の画面例を示している。上述したように、画面の左上部には、情報が記録された年月日が表示され、各種情報の一覧が、情報番号、記録時刻、メモアイコン、サムネイル画像、音声アイコン、および録音時間の順で時系列的に表示される。
【０１４２】
例えば、この一覧表の中から、記録時刻の異なる複数の情報を選択し、次に実行キー７Ｂを選択し、選択した情報を画面に表示させるものとする。ここでは、１番目乃至４番目の情報の各情報番号等をピック（選択）し、実行キー７Ｂを選択することにより、それらの情報を画面に表示させるものとする。
【０１４３】
図１１は、選択した複数の情報が表示されたＬＣＤ６の画面例を示している。このように、ＣＰＵ３９は、選択された情報の数に基づいて、ＬＣＤ６の画面を複数の領域に分割する。この場合、４つの情報が選択され、その中の３つの情報が画像情報を含むので、ＬＣＤ６の画面を４つの領域に分割する。選択された情報の数に応じて画面を複数の領域に分割する方法については、図１８のフローチャートを参照して後述する。そして、この例の場合、ＣＰＵ３９は、画像とともに音声が記録された２番目の情報については、画像だけを画面に表示させ、音声は無視する。また、音声のみが記録された３番目の情報は無視する。
【０１４４】
即ち、ＣＰＵ３９は、１番目の情報の中のサムネイル画像に対応する画像をメモリカード２４より読み出し、間引き等の処理によって、ＬＣＤ６の画面が４分割された各領域に対応する大きさ（画素数）の画像に縮小し、フレームメモリ３５の対応する部分に書き込む。
【０１４５】
次に、２番目の情報の中のサムネイル画像に対応する画像をメモリカード２４より読み出し、上述した場合と同様にして縮小し、フレームメモリ３５の対応する部分に書き込む。次に、３番目の情報は、上述したように音声情報だけであるので、ここでは無視する。
【０１４６】
次に、４番目の情報の中のサムネイル画像に対応する画像をメモリカード２４より読み出し、上述した場合と同様にして縮小し、フレームメモリ３５の対応する部分に書き込む。
【０１４７】
以上のようにして、図１１に示したような分割された画面の各領域に、１番目の情報である画像Ａ、２番目の情報である画像Ｂ、および４番目の情報である画像Ｃが表示される。
【０１４８】
図１２は、複数の情報が表示されたＬＣＤ６の他の画面例を示している。即ち、ＣＰＵ３９は、選択された情報の数に基づいて、ＬＣＤ６の画面を複数の領域に分割する。この場合、４つの情報が選択されたので、ＬＣＤ６の画面を４つの領域に分割する。そして、この例の場合、ＣＰＵ３９は、音声情報については、音声情報を示す所定のマーク（例えば、音符マーク）を表示させ、音声情報が存在することを示すようにする。
【０１４９】
まず、ＣＰＵ３９は、１番目の情報の中のサムネイル画像に対応する画像をメモリカード２４より読み出し、間引き等の処理によって、ＬＣＤ６の４分割された画面の各領域に対応する大きさ（画素数）の画像に縮小し、フレームメモリ３５の対応する部分に書き込む。
【０１５０】
次に、２番目の情報の中のサムネイル画像に対応する画像をメモリカード２４より読み出し、上述した場合と同様にして縮小し、フレームメモリ３５の対応する部分に書き込む。２番目の情報には、音声情報が含まれているので、例えば、音声情報が存在することを示す音符マーク等をフレームメモリ３５の所定の位置に書き込む。
【０１５１】
３番目の情報は音声情報だけであるので、音声情報が存在することを示す、例えば音符マークをフレームメモリ３５の所定の位置に書き込む。
【０１５２】
次に、４番目の情報の中のサムネイル画像に対応する画像をメモリカード２４より読み出し、上述した場合と同様にして縮小し、フレームメモリ３５の対応する部分に書き込む。
【０１５３】
以上のようにして、図１２に示したような４分割された画面の各領域に、１番目の情報である画像Ａ、２番目の情報である画像Ｂおよび音声情報の存在を示す音符マーク、３番目の情報である音声情報に対応する音符マーク、さらに４番目の情報である画像Ｃが表示される。
【０１５４】
図１３は、複数の情報が表示されたＬＣＤ６のさらに他の画面例を示している。即ち、ＣＰＵ３９は、図１１および図１２を参照して上述した場合と同様に、選択された情報の数に基づいて、ＬＣＤ６の画面を複数の領域に分割する。この場合、４つの情報が選択されたので、ＬＣＤ６の画面を４つの領域に分割する。そして、この例の場合、ＣＰＵ３９は、音声情報については、何も表示しないようにする。
【０１５５】
まず、ＣＰＵ３９は、１番目の情報の中のサムネイル画像に対応する画像をメモリカード２４より読み出し、間引き等の処理によって、ＬＣＤ６の４分割された画面の各領域に対応する大きさ（画素数）の画像に縮小し、フレームメモリ３５の対応する部分に書き込む。
【０１５６】
次に、２番目の情報の中のサムネイル画像に対応する画像をメモリカード２４より読み出し、上述した場合と同様にして縮小し、フレームメモリ３５の対応する部分に書き込む。２番目の情報には、音声情報が含まれているが、それを示すマークはこの例では表示しない。
【０１５７】
３番目の情報は音声情報だけであるので、フレームメモリ３５の所定の３番目の領域に対応する部分には何も書き込まない。
【０１５８】
次に、４番目の情報の中のサムネイル画像に対応する画像をメモリカード２４より読み出し、上述した場合と同様にして縮小し、フレームメモリ３５の対応する部分に書き込む。
【０１５９】
以上のようにして、図１３に示したような４分割された画面の各領域に、１番目の情報である画像Ａ、２番目の情報である画像Ｂ、３番目の情報である音声を示すブランク画像、さらに４番目の情報である画像Ｃが表示される。
【０１６０】
図１１乃至図１３の画面がＬＣＤ６に表示された状態で、例えば、画像Ｂをペン４１等を用いて選択し、実行キー７Ｂを選択すると、ＣＰＵ３９は、図１４に示すように、選択された画像Ｂを画面全体に表示させる。図１０に示した一覧表より、画像Ｂには関連する音声情報が存在するので、ＣＰＵ３９は、画像ＢをＬＣＤ６の画面全体に表示させた後、関連する音声情報をメモリカード２４より読み出し、Ａ／ＤおよびＤ／Ａ変換回路４２に供給する。Ａ／ＤおよびＤ／Ａ変換回路４２は、ＣＰＵ３９より供給されたデジタルの音声情報をアナログの音声信号に変換した後、スピーカ５に供給する。これにより、ＬＣＤ６に表示された画像Ｂに関連する音声がスピーカ５より出力される。
【０１６１】
図１０に示した一覧表画面において、５以上の情報を選択することも可能である。５乃至９の情報を選択した場合、図１８のフローチャートを参照して後述するように、ＣＰＵ３９はＬＣＤ６の画面を９つの領域に分割する。また、例えば、１０個の情報を選択した場合でも、画面を９つの領域に分割し、選択された１０個の情報のうちの９個ついて表示する。本実施の形態の場合、ＬＣＤ６の画面の大きさから、画面をそれより多く（１０以上）の領域に分割すると、各領域の大きさが小さくなってしまい、各領域に表示された画像を認識するのが困難になるため、９分割を限界値としている。なお、ＬＣＤ６の画面の大きさが大きければ、画面を１０以上の領域に分割することも可能である。
【０１６２】
また、ＣＰＵ３９は、インタフェース（Ｉ／Ｆ）４８を介して所定の外部装置が接続され、その外部装置のモニタ（図示せず）にて情報を表示させる場合には、そのモニタに合わせて分割の限界値を変更する。
【０１６３】
以下に、図１０に示した一覧表画面において、１０個以上の情報を選択した場合の表示制御例を図１５乃至図１７を参照して説明する。
【０１６４】
図１０に示した一覧表画面で、１２個の情報Ａ乃至Ｌを選択し、実行キー７Ｂを選択すると、ＣＰＵ３９は、９分割がＬＣＤ６の限界値であると判断して、ＬＣＤ６の画面を９つの領域に分割し、図１５に示すように、選択された情報Ａ乃至Ｌのうちの最初から９個の情報Ａ乃至Ｉを順次、表示させる。そして、図１５に示す表示状態で、スクロールキー７Ｅを選択すると、ＣＰＵ３９は、９つの領域の情報がそれぞれ１つ順送りされ、図１６に示すように、情報Ｂ乃至Ｊが表示されるように制御する。
【０１６５】
また、図１５および図１６に示す表示状態で、スクロールキー７Ｆを選択すると、ＣＰＵ３９は、図１７に示すように、選択された情報Ａ乃至Ｌのうちの最後から９個の情報Ｄ乃至Ｌが表示されるように制御する。逆に、図１６に示す表示状態で、スクロールキー７Ｇを選択すると、ＣＰＵ３９は、９つの領域の情報がそれぞれ１つ逆送りされ、図１５に示すように、情報Ａ乃至Ｉが表示されるように制御する。また、図１７および図１６に示すような表示状態で、スクロールキー７Ｈを選択すると、ＣＰＵ３９は、図１５に示すように、選択された情報Ａ乃至Ｌのうちの最初から９個の情報Ａ乃至Ｉが表示されるように制御する。
【０１６６】
また、図１０に示した一覧表画面において、１０個以上の情報を選択した場合の他の表示制御例を図１７を参照して説明する。
【０１６７】
図１０に示した一覧表画面で、１２個の情報Ａ乃至Ｌを選択し、実行キー７Ｂを選択すると、ＣＰＵ３９は、９分割がＬＣＤ６の限界値であると判断してＬＣＤ６の画面を９つの領域に分割し、図１７に示すように、選択された情報Ａ乃至Ｌのうちの最後から９個の情報Ｄ乃至Ｌを順次、表示させる。その他の表示制御は、上述した表示制御例の場合と同様であるので、その説明は省略する。
【０１６８】
上述したように、音声情報の場合には、音符マークを表示したり、ブランク画像を表示したり、あるいは、何も表示しないようにすることができる。図１５および図１６の例では、音声情報を含めて、画面に表示される情報が１０以上選択された場合の例を示している。
【０１６９】
また、複数の情報を選択し、分割された画面の各領域に表示する場合において、メモ情報を含む情報が選択された場合、そのメモ情報に対応するメモを分割された画面の対応する領域に表示させるようにすることも可能である。例えば、所定の画像情報にメモ情報が関連づけられて記憶されている場合、その画像とメモを重畳して、分割された画面の対応する領域に表示させることができる。また、選択された情報がメモ情報だけを含む場合には、メモだけを画面の対応する領域に表示させるようにすることができる。
【０１７０】
また、分割された画面の各領域の大きさを、図１０に示した一覧表のサムネイル画像よりも大きくするようにすることができる。これにより、分割された画面の各領域に表示された画像が小さくて認識できなくなることを抑制することができる。
【０１７１】
次に、本発明の他の実施の形態について説明する。以下で説明する実施の形態は、上述した実施の形態とは、ＣＰＵ３９による制御が異なる。電子カメラ１を構成する部材等は、上述した実施の形態の場合と同一であるので、それらの説明は省略する。また、ＣＰＵ３９による制御も、図１０に示す一覧表画面における情報選択の制御が異なるのみであるので、その他の制御の説明は省略する。
【０１７２】
以下に、ＣＰＵ３９による図１０に示す一覧表画面における情報選択の制御について説明する。
【０１７３】
図１０に示す一覧表画面において、情報は、情報Ａ，Ｂ，Ｃの情報番号等をピックすることにより選択される。ＣＰＵ３９は、９個の情報まで選択を受け付けるように制御する。しかし、１０個目の情報が選択されようとしたとき、ＣＰＵ３９は、９分割がＬＣＤ６の限界値であり、それ以上、情報の選択を受け付けても、一画面中に表示することができないと判断して、情報の選択を受け付けないように制御する。
【０１７４】
本実施の形態によれば、選択された情報が、一画面上の分割された領域に全て表示される。そのため、例えば、図１０におけるデリートキー７Ｄを用いて、選択された情報を全て消去する場合において、消去される情報が全て画面に表示されているので、消去される情報の確認を瞬時に行うことができ、安心して消去させることができる。
【０１７５】
次に、図１８のフローチャートを参照して、選択した情報の数に応じて画面を複数の領域に分割する手順について説明する。
【０１７６】
最初に、ステップＳ１において、選択された情報の数が、画面を複数の領域に分割することができる最大数Ｎ2以下であるか否かが判定される。ここで、Ｎは自然数であり、画面の大きさや解像度によって予めその値が決められている。即ち、画面が分割された各領域に画像を表示させた場合、その画像を認識することができることが前提であるので、画面の解像度が高いほど、また画面のサイズが大きいほど、画面をより多くの領域に分割することができるので、Ｎは大きな値となる。逆に、画面の解像度が低いほど、また画面のサイズが小さいほど、画面をより多くの領域に分割することができなくなるので、Ｎは小さい値となる。
【０１７７】
ステップＳ１において、選択された情報の数が、画面を複数の領域に分割することができる最大数Ｎ2以下であると判定された場合、ステップＳ２に進み、ＣＰＵ３９により、選択された情報の数が（ｎ−１）2より大きく、かつｎ2以下であるｎが求められる。ここで、ｎはＮ以下の自然数である。
【０１７８】
次に、ステップＳ３に進み、ＣＰＵ３９により、画面がｎ2個の領域に分割される。
【０１７９】
一方、ステップＳ１において、選択された情報の数が、画面を複数の領域に分割することができる最大数Ｎ2以下ではない（Ｎ2より大きい）と判定された場合、ステップＳ４に進み、ＣＰＵ３９は、画面をＮ2個の領域に分割する。そして、ステップＳ３またはステップＳ４の処理が終了すると、すべての処理を終了する。
【０１８０】
例えば、画面を複数の領域に分割することができる最大数Ｎ2を９（＝３2）とし、選択された情報の数が２以上かつ４以下である場合、図１１乃至図１３に示したように、画面が４つの領域に分割される。また、選択された情報の数が５乃至９の場合、あるいは、選択された情報の数が９より多い場合、画面が９つの領域に分割される。
【０１８１】
図１５乃至図１７は、上述したように、１０個以上の情報を選択した場合の例を示しており、画面が９つの領域に分割されている。５乃至９の情報を選択した場合にも、図１９に示すように、画面が９つの領域に分割され、選択された情報が各領域に表示される。図１９は、５つの情報を選択した場合の画面の表示例を示している。
【０１８２】
以上のようにして、選択された情報の数に応じて、画面が最適な数の領域に分割されるようにすることができる。
【０１８３】
また、図１８のフローチャートに示す処理等をＣＰＵ３９に行わせるプログラムは、電子カメラ１のＲＯＭ４３やメモリカード２４等に記憶させるようにすることができる。また、このプログラムは、予め上記ＲＯＭ４３やメモリカード２４に記憶された状態で使用者に供給されるようにしてもよいし、ＲＯＭ４３やメモリカード２４にコピー可能なように、ＣＤ−ＲＯＭ（compact disc-read only memory）等に記憶された状態で使用者に供給されるようにしてもよい。その場合、ＲＯＭ４３は、例えば、電気的に書き換え可能なＥＥＰＲＯＭ（electrically erasable and programmable read only memory）等で構成するようにする。
【０１８４】
なお、上記実施の形態においては、分割された画面の領域の数を４または９としたが、画面をそれより多くの任意の数の領域に分割することも可能である。
【０１８５】
また、上記実施の形態においては、電子カメラ１のＬＣＤ６の画面を分割して、複数の情報を表示する場合について説明したが、他の表示装置の画面を分割して、複数の情報を表示する場合にも本発明を適用することが可能である。
【図面の簡単な説明】
【０１８６】
【図１】本発明を適用した電子カメラの一実施の形態を正面の側から見た斜視図である。
【図２】電子カメラ１をＬＣＤカバー１４を開けた状態で背面の側から見た斜視図である。
【図３】電子カメラ１をＬＣＤカバー１４を閉じた状態で背面の側から見た斜視図である。
【図４】電子カメラ１の内部の構成例を示す図である。
【図５】電子カメラ１のＬＣＤスイッチ２５とＬＣＤカバー１４の動作を説明する図である。
【図６】電子カメラ１の内部の電気的構成例を示すブロック図である。
【図７】間引き処理を説明するための図である。
【図８】間引き処理の他の例を示す図である。
【図９】電子カメラ１のＬＣＤ６に表示される一覧表の例を示す図である。
【図１０】一覧表画面の例を示す図である。
【図１１】４つの情報を画面に表示する場合の例を示す図である。
【図１２】４つの情報を画面に表示する場合の他の例を示す図である。
【図１３】４つの情報を画面に表示する場合のさらに他の例を示す図である。
【図１４】図１１乃至図１３において、画像Ｂが選択され、画面全体に画像Ｂが表示された様子を示す図である。
【図１５】１０以上の情報を画面に表示する場合の例を示す図である。
【図１６】１０以上の情報を画面に表示する場合の他の例を示す図である。
【図１７】１０以上の情報を画面に表示する場合のさらに他の例を示す図である。
【図１８】選択された情報の数に応じて画面を分割する手順を説明するフローチャートである。
【図１９】５つの情報を画面に表示する場合の例を示す図である。
【符号の説明】
【０１８７】
１  電子カメラ
２  ファインダ
３  撮影レンズ
４  発光部（ストロボ）
５  スピーカ
６  ＬＣＤ（表示手段）
６Ａ  タッチタブレット（指定手段、選択手段、線画入力手段）
７  操作キー
７Ａ  メニューキー
７Ｂ  実行キー
７Ｃ  キャンセルキー
７Ｄ  デリートキー
７Ｅ，７Ｆ，７Ｇ，７Ｈ  スクロールキー
８  マイクロホン（音声入力手段）
９  イヤホンジャック
１０  レリーズスイッチ
１１  電源スイッチ
１２  録音スイッチ
１３  連写モード切り換えスイッチ
１５  赤目軽減ＬＥＤ
１６  測光素子
１７  測色素子
２０  ＣＣＤ（画像入力手段）
２１  バッテリ
２２  コンデンサ
２３  回路基板
２４  メモリカード（記憶手段）
２６  ファインダ内表示素子
３０  レンズ駆動回路
３１  画像処理部
３２  アナログ／デジタル変換回路（Ａ／Ｄ）
３３  デジタルシグナルプロセッサ（ＤＳＰ）
３４  ＣＣＤ駆動回路
３５  フレームメモリ
３６  バッファメモリ
３７  ストロボ駆動回路
３８  赤目軽減ＬＥＤ駆動回路
３９  ＣＰＵ（表示制御手段、分割手段、音声再生手段）
４０  ファインダ内表示回路
４１  ペン（指定手段、選択手段、線画入力手段）
４２  Ａ／Ｄ−Ｄ／Ａ変換回路
４３  ＲＯＭ
４５  タイマ
４８  インタフェース
５１  測光回路
５２  測色回路
５３  絞り駆動回路
５４  絞り
【図１】
0004571111.tif 000002
【図２】
0004571111.tif 000003
【図３】
0004571111.tif 000004
【図４】
0004571111.tif 000005
【図５】
0004571111.tif 000006
【図６】
0004571111.tif 000007
【図７】
0004571111.tif 000008
【図８】
0004571111.tif 000009
【図９】
0004571111.tif 000010
【図１０】
0004571111.tif 000011
【図１１】
0004571111.tif 000012
【図１２】
0004571111.tif 000013
【図１３】
0004571111.tif 000014
【図１４】
0004571111.tif 000015
【図１５】
0004571111.tif 000016
【図１６】
0004571111.tif 000017
【図１７】
0004571111.tif 000018
【図１８】
0004571111.tif 000019
【図１９】
0004571111.tif 000020